(57)【特許請求の範囲】
【請求項１】
計量器による計量値を１以上の表示枠に１桁ずつ一方向にスクロールして変化する数字を表示することで表す検針窓を周期的に撮像する撮像手段と、
前記撮像手段により周期的に撮像される前記検針窓の撮像画像のうち前記表示枠に、当該表示枠内に現れた数字画像を囲む認識枠を設定し、この認識枠内に１つの数字画像が収まっている場合は当該数字画像に対して文字認識処理を行い、前記認識枠内に２つの数字画像がそれぞれ部分的に表示されている場合は、前記認識枠のスクロール方向の境界から数字画像間の空白部分が所定の距離離れていれば前記文字認識処理を行うことにより、前記検針窓に表示される前記計量値を逐次読み取る文字認識手段と、
前記文字認識手段により読み取った前記計量値を逐次記憶する記憶手段と、
前記文字認識手段により読み取った前記計量値を前記記憶手段に記憶された前回読み取った計量値と比較する比較手段と、
前記比較手段による比較の結果、異なる値である場合にパルス信号を出力するパルス送信手段と、
前記パルス信号をカウントし、カウント値から前記計量値を導出して所定の外部装置に通知する通知手段と、を備える、
自動検針システム。
【請求項２】
計量器による計量値を１以上の表示枠に１桁ずつ一方向にスクロールして変化する数字を表示することで表す検針窓を周期的に撮像する撮像装置及び前記計量値を所定の外部装置に通知する通知装置が接続された自動検針装置により実行される方法であって、
前記撮像装置により周期的に撮像される前記検針窓の撮像画像の前記表示枠内に当該表示枠内に現れた数字画像を囲む認識枠を設定し、この認識枠内に１つの数字画像が収まっている場合は当該数字画像に対して文字認識処理を行い、前記認識枠内に２つの数字画像がそれぞれ部分的に表示されている場合は、前記認識枠のスクロール方向の境界から数字画像間の空白部分が所定の距離離れていれば前記文字認識処理を行うことにより、前記検針窓に表示される前記計量値を逐次読み取る段階と、
読み取った前記計量値を所定の記憶手段に逐次記憶する段階と、
読み取った前記計量値を前記記憶手段に記憶された前回読み取った計量値と比較して、前記通知装置に前記計量値を導出させるためのパルス信号を、比較結果に応じた回数、前記通知装置に送信する段階と、を含む、自動検針方法。
【請求項３】
計量器による計量値を１以上の表示枠に１桁ずつ一方向にスクロールして変化する数字を表示することで表す検針窓を周期的に撮像する撮像装置、所定の記憶手段及び前記計量値を所定の外部装置に通知する通知装置が接続されたコンピュータに、
前記撮像装置により周期的に撮像される前記検針窓の撮像画像の前記表示枠内に当該表示枠内に現れた数字画像を囲む認識枠を設定し、この認識枠内に１つの数字画像が収まっている場合は当該数字画像に対して文字認識処理を行い、前記認識枠内に２つの数字画像がそれぞれ部分的に表示されている場合は、前記認識枠のスクロール方向の境界から数字画像間の空白部分が所定の距離離れていれば前記文字認識処理を行うことにより、前記検針窓に表示される前記計量値を逐次読み取る処理、
読み取った前記計量値を前記記憶手段に逐次記憶する処理、
読み取った前記計量値を前記記憶手段に記憶された前回読み取った計量値と比較して、前記通知装置に前記計量値を導出させるためのパルス信号を、比較結果に応じた回数、前記通知装置に送信する処理、を実行させるためのコンピュータプログラム。
【発明の詳細な説明】
【技術分野】
【０００１】
本発明は、電力、ガス、水道等の使用量を表す計量値を測定するための計量器に対して自動検針を行う自動検針システムに関する。
【背景技術】
【０００２】
住宅等の需要家或いは工場敷地内等の分散したエリアに配設される計量器には、電力量計、ガス量計、水道量計等がある。電力会社、ガス会社、水道局等では、これらの計量器を検針して、計量値に応じた料金の請求を行う。これらの計量値は、検針員が計量器から直接読み取ったり、或いは電話回線等のネットワークを通じて計量値が電力会社、ガス会社、水道局へ通知される。
【０００３】
最近はディジタルカメラを介した自動検針装置や無線通信を用いて遠隔箇所から計量器に対する自動検針を行う自動検針システムが知られている。例えば、特許文献１に記載された自動検針システムでは、検針窓の近傍に画像処理範囲を設定する枠或いはマークが付されて識別番号及び計量値を示す指示値数字列と一定の位置関係となるようになされた計量機器に対し、枠或いはマークとともに計量値及び計量機器を識別する識別番号を同一画面に撮像して撮像データを出力するディジタルカメラと、ディジタルカメラの撮像データを入力し、撮像画像に含まれる枠或いはマークに基づいて判読した文字データによる計量値と識別番号を生成する画像処理部と、画像処理部からの撮像画像、計量値及び識別番号を、需要家の氏名とともに記憶する記憶部と、撮像画像、計量値、識別番号及び需要家の氏名を表示する表示部と、撮像画像、計量値、識別番号及び需要家の氏名を印刷する出力部と、を備えて需要家に配設された計量機器の計量値を集中管理し、自動的に検針処理を行うようにしている。
この他にも、例えば特許文献２には、ディジタルカメラで撮像した計量値を文字認識して、認識した計量値を無線通信にてセンタパソコンに送信する技術が開示されている。
【先行技術文献】
【特許文献】
【０００４】
【特許文献１】特開２００８−１４７８４４号公報
【特許文献２】特開平１１−１７５６５６号公報
【発明の概要】
【発明が解決しようとする課題】
【０００５】
以上のような従来技術では、検針員が各需要家或いは工場敷地内等を巡回して、各地に配設される計量器をディジタルカメラで撮像する必要がある。そのために検針作業の完全な自動化には至っていない。
【０００６】
本発明は、計量器の検針を完全に自動化する自動検針システムを提供することを課題とする。
【課題を解決するための手段】
【０００７】
上記課題を解決する本発明の自動検針システムは、計量器による計量値を１以上の表示枠に１桁ずつ一方向にスクロールして変化する数字を表示することで表す検針窓を周期的に撮像する撮像手段と、前記撮像手段により周期的に撮像される前記検針窓の撮像画像のうち前記表示枠に、当該表示枠内に現れた数字画像を囲む認識枠を設定し、この認識枠内に１つの数字画像が収まっている場合は当該数字画像に対して文字認識処理を行い、前記認識枠内に２つの数字画像がそれぞれ部分的に表示されている場合は、前記認識枠のスクロール方向の境界から数字画像間の空白部分が所定の距離離れていれば前記文字認識処理を行うことにより、前記検針窓に表示される前記計量値を逐次読み取る文字認識手段と、前記文字認識手段により読み取った前記計量値を逐次記憶する記憶手段と、前記文字認識手段により読み取った前記計量値を前記記憶手段に記憶された前回読み取った計量値と比較する比較手段と、前記比較手段による比較の結果、異なる値である場合にパルス信号を出力するパルス送信手段と、前記パルス信号をカウントし、カウント値から前記計量値を導出して所定の外部装置に通知する通知手段と、を備える。
【０００８】
本発明の自動検針システムでは、撮像手段により周期的に検針窓の撮像を行うことで、検針員が検針のために巡回する必要がない。また、撮像手段により撮像された撮像画像を文字認識することで表示枠に表示された数字が認識され、計測値が読み取られる。読み取られた計測値が変化するとパルス信号を発生し、このパルス信号により通知手段が計量値が導出される。そのために、人手を介さずに、計量器の検針を行うことができる。
【００１１】
本発明の自動検針方法は、計量器による計量値を１以上の表示枠に１桁ずつ一方向にスクロールして変化する数字を表示することで表す検針窓を周期的に撮像する撮像装置及び前記計量値を所定の外部装置に通知する通知装置が接続された自動検針装置により実行される方法であって、前記撮像装置により周期的に撮像される前記検針窓の撮像画像の前記表示枠内に当該表示枠内に現れた数字画像を囲む認識枠を設定し、この認識枠内に１つの数字画像が収まっている場合は当該数字画像に対して文字認識処理を行い、前記認識枠内に２つの数字画像がそれぞれ部分的に表示されている場合は、前記認識枠のスクロール方向の境界から数字画像間の空白部分が所定の距離離れていれば前記文字認識処理を行うことにより、前記検針窓に表示される前記計量値を逐次読み取る段階と、読み取った前記計量値を所定の記憶手段に逐次記憶する段階と、読み取った前記計量値を前記記憶手段に記憶された前回読み取った計量値と比較して、前記通知装置に前記計量値を導出させるためのパルス信号を、比較結果に応じた回数、前記通知装置に送信する段階と、を含む。
【００１２】
本発明のコンピュータプログラムは、計量器による計量値を１以上の表示枠に１桁ずつ一方向にスクロールして変化する数字を表示することで表す検針窓を周期的に撮像する撮像装置、所定の記憶手段及び前記計量値を所定の外部装置に通知する通知装置が接続されたコンピュータに、前記撮像装置により周期的に撮像される前記検針窓の撮像画像の前記表示枠内に当該表示枠内に現れた数字画像を囲む認識枠を設定し、この認識枠内に１つの数字画像が収まっている場合は当該数字画像に対して文字認識処理を行い、前記認識枠内に２つの数字画像がそれぞれ部分的に表示されている場合は、前記認識枠のスクロール方向の境界から数字画像間の空白部分が所定の距離離れていれば前記文字認識処理を行うことにより、前記検針窓に表示される前記計量値を逐次読み取る処理、読み取った前記計量値を前記記憶手段に逐次記憶する処理、読み取った前記計量値を前記記憶手段に記憶された前回読み取った計量値と比較して、前記通知装置に前記計量値を導出させるためのパルス信号を、比較結果に応じた回数、前記通知装置に送信する処理、を実行させるためのコンピュータプログラムである。
【発明の効果】
【００１３】
本発明によれば、撮像手段により周期的に検針窓の撮像を行い、撮像画像から文字認識により数字が認識される。認識した数字が変化するとパルス信号が発生し、このパルス信号により計量値が導出される。そのために、検針員が検針のために巡回する必要がなく、人手を介さずに計量器の検針を行うことができる。
【図面の簡単な説明】
【００１４】
【図１】自動検針システムの全体構成図。
【図２】撮像装置の外観図。
【図３Ａ】撮像装置を計量器に設置したときの概観図。
【図３Ｂ】撮像装置を計量器に設置したときの概観図。
【図４】自動検針装置の機能ブロック図。
【図５】検針窓に表示される数字の例示図。
【図６】スムージング処理の説明図。
【図７】収縮・膨張処理の説明図であり、（ａ）図は原画像の例示図、（ｂ）図は収縮したときの画像の例示図、（ｃ）図は収縮後に膨張したときの画像の例示図。
【図８】（ａ）図は表示脇内に数字がすべて収まってくる場合の認識枠の説明図、（ｂ）図は数字が変化する途中の認識枠の説明図。
【図９】特徴抽出法の説明図。
【図１０】ゾンデ法の説明図。
【図１１】スキャン方の説明図。
【図１２】「０」〜「９」までの文字線の数の推移を表す図。
【図１３】自動検針処理の処理手順図。
【図１４】撮像装置による検針窓の撮像処理の処理手順図。
【図１５】文字認識処理の処理手順図。
【発明を実施するための形態】
【００１５】
以下、本発明の自動検針システムの実施形態を詳細に説明する。
【００１６】
図１は、自動検針システム１の全体構成図である。自動検針システム１により、計量器２により計量された計量値を示す指示値数字列が表示される検針窓２００から数字を読み取ることにより検針を行う。計量器２は、電気、ガス、水道等の使用量を表す計量値を計量して検針窓２００に表示する。
【００１７】
自動検針システム１は、撮像装置１０、自動検針装置２０、無線パルスカウント計３０、及び計量値通知装置４０を備えている。撮像装置１０は検針窓２００に表示された数字を周期的に撮像して、その撮像データを自動検針装置２０へ送信する。自動検針装置２０は、撮像装置１０から送信された撮像データによる撮像画像から文字認識処理により数字を認識して、認識した数字が前回文字認識により認識した数字とは異なる場合に、無線パルスカウント計３０にパルス信号を送信する。無線パルスカウント計３０は、自動検針装置２０から送信されるパルス信号をカウントする。無線パルスカウント計３０は、カウント値を計量値通知装置４０に無線により送信する。計量値通知装置４０は、無線パルスカウント計３０から受信したカウント値から計量値を算出する。計量値通知装置４０は、計測器２の需要家等の情報とともに計量値を電力会社等に送信する。
撮像装置１０及び自動検針装置２０について、以下に詳細に説明する。
【００１８】
図２は、撮像装置１０の外観図である。撮像装置１０は、ディジタルカメラ１１及び照明装置としての２個のＬＥＤ（Laser Electric Diode）１２を一面に備えている。撮像装置１０は、２個のＬＥＤ１２により計量器２の検針窓２００を照射しておき、ディジタルカメラ１１により撮像を行う。
撮像装置１０は、計量器２の検針窓２００を覆うように設置される。そのために撮像装置１０は、ディジタルカメラ１１及びＬＥＤ１２が設けられる面にフード部１３が設けられている。フード部１３は、撮像装置１０が計量器２に設置されるときの係止部材として機能する他に、雨や汚れからディジタルカメラ１１、ＬＥＤ１２、及び検針窓２００を保護する保護部材としても機能する。
図３Ａ、Ｂは、撮像装置１０を計量器２に設置したときの概観図である。図３Ａは、計量器２の検針窓２００を正面に見た場合の概観図であり、図３Ｂは、図３Ａの図中右側から見た場合の概観図である。撮像装置１０は、フード部１３にのぞき窓を設けて或いは計量器２から取り外し可能にして、検針窓２００が直接目視できるように構成してもよい。
【００１９】
図４は、自動検針装置２０の機能ブロック図である。自動検針装置２０の各機能ブロックは、例えば、汎用のＣＰＵ（Central Processing Unit）、ＲＡＭ（Random Access Memory）、ＲＯＭ（Read Only Memory）、各種入出力インタフェースを備えたコンピュータシステムが、所定のプログラムを実行することにより実現可能である。自動検針装置２０は、カメラ制御部２１、データ記憶部２２、文字認識部２３、比較部２４、制御部２５、パルス送信部２６、及びメール送信部２７の各機能ブロックを備える。
【００２０】
カメラ制御部２１は、撮像装置１０の動作を制御する。撮像装置１０は、カメラ制御部２１により、ＬＥＤ１２の点灯、消灯、ディジタルカメラ１１による撮像等が制御される。そのために、カメラ制御部２１は、撮像装置１０の動作を制御するためのカメラ制御データを撮像装置１０に送信する。カメラ制御データは、図示しない記憶装置に予め保管されている。カメラ制御部２１は、撮像装置１０に対して、周期的（例えば１分間隔）に撮像を行わせる。また、カメラ制御部２１は、撮像装置１０から撮像データを受信する。
【００２１】
データ記憶部２２は、自動検針装置２０で用いる各種データを記憶する。データ記憶部２２に記憶されるデータには、カメラ制御部２１から受信した撮像データ、撮像データから文字認識処理により認識された数字、文字認識処理の履歴等が記憶される。撮像データは、文字認識処理の終了後、適切なタイミング（例えば、次の撮像データの受信時）で削除される。
【００２２】
文字認識部２３は、撮像データによる撮像画像に対して文字認識処理を行う。文字認識処理により、検針窓２００に表示された数字を認識する。認識した数字は、データ記憶部２２に記憶される。文字認識部２３は、特徴抽出部２３１、ゾンデ法認識部２３２、及びスキャン法認識部２３３を有しており、これらにより３種類の文字認識処理を行う。文字認識部２３は、これら３種類の文字認識処理の結果に応じて、最終的に認識する文字を決定する。例えば、２種類の方法で同じ文字を認識した場合、或いはすべての方法において同じ文字を認識した場合に、最終的に認識する文字とする。３種類の方法ですべて異なる文字が認識された場合、或いは認識が不可能だった場合には、画像データに文字が正しく撮像されていないと判断して、文字認識処理が終了する。
【００２３】
文字認識部２３は、撮像装置１０による撮像データから得られる撮像画像から、数字を正確に認識する必要がある。撮像画像は、図５に示すように検針窓２００の表示枠２０１内の数字を表す。検針窓２００では、計量値に合わせて数字が変化する。表示枠２０１内の数字は、例えばドラムの回転に合わせて、表示枠２０１の下から上方向に数がスクロールすることで変化する。文字認識部２３は、文字認識処理を行う前に撮像画像を文字認識し易いように以下の処理を行う。また、表示枠２０１内の数字が変化する途中であるか否かを判断する処理を行う。
【００２４】
まず、文字認識部２３は、画像処理において一般的な９ポイントスムージングを、各表示枠２０１内の画像に対して行う。図６は、スムージング処理の説明図である。スムージング処理では、中央の画素の色を、周囲の画素の色により補正する。具体的には、周囲の各画素の色を表す数値の平均値を、中央の画素の色を表す数値として置き換える。例えば、平均値ＰＸ＝（Ｐ１＋Ｐ２＋Ｐ３＋Ｐ４＋Ｐ６＋Ｐ７＋Ｐ８＋Ｐ９）／８を算出して、ＰＸをＰ５に置き換える（Ｐ１〜Ｐ９、ＰＸは、色を表す数値）。このような処理を、各表示枠２０１内の画像のすべての画素について行う。９ポイントスムージングにより、文字認識の妨げとなる画像のドット抜けや１画素レベルのノイズ画像が補正され、急激な色の変化を緩和することができる。
【００２５】
スムージング処理の後、文字認識部２３は、各表示枠２０１内の画像の２値化処理を行う。文字認識部２３は、例えば画素の明度に対して閾値を設け、閾値よりも上か下かで各画素を黒色、白色の２つの値に変換する。閾値には、例えば表示枠２０１内の画像の全画素中最も明度の大きい画素と最も明度の小さい画素との明度の平均値を用いる。
【００２６】
撮像画像の表示枠２０１内の画像の２値化処理後に、文字認識部２３は、各表示枠２０内の画像の収縮・膨張処理を行う。２値化後の撮像画像は、図７（ａ）に示すように数字の他にノイズ画像を含んだ画像になる。収縮処理の場合には、撮像画像の数字を表す黒色になった部分について、図７（ｂ）に示すように所定数の画素分小さくする。図７（ａ）と図７（ｂ）とを比較すると、収縮処理により、数字が細くなっている他にノイズ画像が削除されている。膨張処理の場合には、収縮処理後の撮像画像の黒色部分について、図７（ｃ）に示すように所定数の画素分大きくする。収縮処理によりノイズ画像が削除されているために、ノイズ画像が所定数の画素分大きくなることはなく数字のみが所定数の画素分大きくなる。
以上のような、収縮・膨張処理により、スムージング処理及び２値化処理の後に表示枠２０１内の画像に残っているノイズ画像を削除することができる。ノイズ画像の除去により、表示枠２０１内の数字を文字認識し易くなる。
【００２７】
ノイズ画像の除去が終了すると、文字認識部２３は文字認識のための認識枠２０２の最適化を行う。認識枠２０２は、表示枠２０１の上下左右の各方向から最初に現れた線分を囲む範囲で設定される。線分の有無は、撮像画像が２値化されているために容易に行うことができる。
図８（ａ）は、表示枠２０１内に数字がすべて収まっている場合の認識枠２０２の説明図である。図８（ａ）の例では、表示枠２０１内に「２」がすべて表示され、「１」の下側部分が見切れて表示されている。そのために、認識枠２０２は、「２」のすべてと「１」の見切れている部分とを含む範囲で設定される。
図８（ｂ）は、数字が変化する途中の認識枠２０２の説明図である。図８（ｂ）の例では、表示枠２０１内に「１」と「２」がそれぞれ見切れて表示されている。そのために、表示枠２０２は、「１」、「２」のそれぞれ見切れている部分を含む範囲で設定される。
文字認識部２３は、認識枠２０２の設定後に、認識枠２０２内で数字がどのような状態にあるかを判定する。図８（ａ）の場合には、認識枠２０２内の数字間に文字線が無い空白部分がある。文字認識部２３は、この空白部分が認識枠２０２の上下２０％であれば数字が変化する途中ではないと判断する。例えば、数字間の中間線が認識枠２０２の上下２０％の範囲内であれば、数字の変化途中にはないと判断される。また、図示はしないが、数字が認識枠２０２の中央付近に表示され、文字線の無い空白部分がその上下にできる場合がある。この空白部分が上下２箇所にできる場合にも、数字の変化途中にはないと判断される。図８（ｂ）の場合には、文字線の無い空白部分が認識枠２０２の上下２０％から外れる。その場合、数字が変化途中であると判断される。
【００２８】
このようにして、表示枠２０１内の数字が変化する途中であるか否かを判断する。なお、スムージング処理、２値化処理、収縮・膨張処理、及び認識枠２０２の最適化は、文字認識を行う範囲を予め決めておき、この範囲内に数字がある場合にのみ、行うようにしてもよい。例えば、表示枠２０１内に表示枠２０１よりも１０％程度小さい枠（認識可能領域）を設定しておき、この枠内に数字が７０％以上入る場合にのみ、スムージング処理、２値化処理、収縮・膨張処理、及び認識枠２０２の最適化を行う。この場合、スムージング処理、２値化処理、収縮・膨張処理、及び認識枠２０２の最適化を行う範囲が狭くなり、処理負荷を減少することができる。また、数字がより表示枠２０１の中心に近くなければ数字の変化の途中であると判断されて文字認識を行わないので、文字認識処理を認識し易い条件で行うことができる。
以上の処理の終了後に、特徴抽出部２３１、ゾンデ法認識部２３２、及びスキャン法認識部２３３による文字認識処理が行われる。
【００２９】
特徴抽出部２３１は。特徴抽出法により文字認識処理を行う。図９は、特徴抽出法の説明図である。特徴抽出法では、撮像画像を所定数の区画に分けておき、各区画における文字線の特徴（横成分、縦成分、右上成分、左上成分）の割合を抽出することで、対象となる文字（数字）を認識する。図９の例では、数値「３」の撮像画像を９区画に分けて各区画の文字線の特徴の割合を抽出している。例えば、中上の区画では、横成分８０％、縦成分０％、右上成分１０％、左上成分１０％となっている。各区画の文字線の特徴から、図９では数字が「３」と認識される。
【００３０】
ゾンデ法認識部２３２は、ゾンデ法により文字認識処理を行う。図１０は、ゾンデ法の説明図である。ゾンデ法では、撮像画像に２つのゾンデ点を設けて、各ゾンデ点から８方向に文字線の探索を行い、各方向の文字線の有無パタンにより文字（数字）を認識する。ゾンデ点は固定せず、最適な位置に自動調整される。図１０の例では、ゾンデ点を数字の上部と下部の２点に設ける。上部のゾンデ点では、左下方向が文字線無しと判定され、下部のゾンデ点では、左上方向が文字線無しと判断される。他の方向には文字線有りと判断される。このような文字線の有無の判断から、図１０の数字が「３」と認識される。
なお、ゾンデ法認識部２３２は、ゾンデ法による文字認識の前処理として細線化処理を行う。細線化処理とは、白色と黒色とに２値化された画像に対して、線の中心１画素だけ残すように線分を細線化する処理であり、従来からよく知られた一般的なアルゴリズムである。収縮処理では、線幅が狭くなり、線が短くなり、最悪の場合、線が消えてしまうが、細線化処理では、線の端点や交点、線幅が１である重要な画素が除去されるといったことはない。
【００３１】
スキャン法認識部２３３は、文字を縦方向（Ｘ方向）及び横方向（Ｙ方向）にスキャンすることで文字認識を行う（以下、「スキャン法」という。）。図１１は、スキャン法の説明図である。撮像画像をＸ方向及びＹ方向にスキャンすることにより、文字線の数の推移が測定される。この文字線の数の推移により、数字を特定する。例えば数字「３」の場合、Ｘ方向のスキャンにより、文字線の数が２→３→２と推移する。Ｙ方向のスキャンにより、文字線の数が１→２→１→２→１と推移する。このような文字線の数の推移から図１１の数字が「３」と認識される。
図１２は、「０」〜「９」までの文字線の数の推移を表す。各数字とも、Ｘ方向とＹ方向の文字線の数の組み合わせが異なる。そのために、Ｘ方向とＹ方向の文字線の数の推移により数字を認識可能である。
【００３２】
文字認識部２３は、この他に認識用データ記憶部２３４を備えている。認識用データ記憶部２３４は、各文字認識処理で用いられる認識用データを記憶している。例えば、特徴抽出法に用いる認識用データとして、数字毎の各区画の特徴が記憶される。ゾンデ法に用いる認証用データとして、数字毎のゾンデ点の位置及び各方向の文字線の有無が記憶される。スキャン法に用いる認証用データとして、数字毎のＸ方向、Ｙ方向の文字線の数の推移が記憶される。
【００３３】
比較部２４は、文字認識部２３で認識された数字と、データ記憶部２２に記憶された前回の文字認識の結果認識された数字とを比較する。比較の結果、異なる場合のみ、パルス送信部２６を介して無線パルスカウント計３０にパルス信号を送信する。パルス送信部２６は、比較部２４の比較による数字の差と同じ回数、パルス信号を送信する。
【００３４】
制御部２５は、自動検針装置２０の各機能ブロックの動作を制御することで、撮像装置２で撮像して得られる撮像データから、計量器２による計量値の増加を検知する。また、制御部２５は、撮像装置１０及び自動検針装置２０のシステム監視を行っており、異常があればメール送信部２７を介して無線パルスカウント計３０に電子メールを送信する。電子メールは、図示しない記憶装置に定型文、送信先のメールアドレスを含んで送信可能な状態で記憶されている。
【００３５】
以上のような構成の自動検針システム１は、図１３に示す処理手順により計量器２の計量値を測定する。
【００３６】
自動検針システム１は、撮像装置１０の設置、自動検針装置２０の初期設定等の測定準備が完了すると、所定の測定時間が経過したか否かを確認する（ステップＳ１０、Ｓ２０）。測定時間が経過した場合には、自動検針装置２０がシステム障害の有無をセルフチェックする（ステップＳ２０：Y、ステップＳ３０）。システム障害が有る場合には、自動検針装置２０からシステム障害がある旨の電子メールが送信される（ステップＳ３０：Y、ステップＳ４０）。電子メールは、無線パルスカウント計３０を介して、計量値通知装置４０に送られ、計量値通知装置４０から電力会社等に送信される。これにより、電力会社等では自動検針装置２０のシステム障害を知ることができる。
【００３７】
システム障害が無い場合には、撮像装置１０による計測器２０の検針窓２００の撮像処理が行われる（ステップＳ３０：N、ステップＳ５０）。図１４は、撮像処理の処理手順図である。
自動検針装置２０は、まず、撮像装置１０に撮像準備が完了しているか否かの確認を指示するカメラ制御データを送信する（ステップＳ５１０）。撮像装置１０は、指示に従ってデジタルカメラ１１及びＬＥＤ１２の動作試験を行い、撮像準備が完了しているか否かを確認する。動作に異常があれば、撮像装置１０から自動検針装置２０に異常通知が送信され、撮像処理が終了する（ステップＳ５１０：N、ステップＳ５２０）。この場合、自動検針装置２０は、ステップＳ３０でシステム障害がある場合と同様に電子メールを送信することで、電力会社等に正常に動作しないことを通知する。
【００３８】
撮像装置１０の動作に異常がなければ、自動検針装置２０から撮像を指示するカメラ制御データが撮像装置１０に送信される（ステップＳ５１０：Y）。撮像装置１０は、この指示に従って、まず、ＬＥＤ１２を点灯する（ステップＳ５３０）。ＬＥＤ１２の点灯により、計量器２が撮像装置１０のフード部１３で覆われていても撮影に必要な光量を保つことができる。次いで撮像装置１０は、露光補正用の撮像を行う（ステップＳ５４０）。露光補正用の撮像を行うことで、適切な条件による撮像が行われる。次いで撮像装置１０は、読み取り用の撮像を行う（ステップＳ５５０）。撮像が終了すると、ＬＥＤを消灯し（ステップＳ５６０）、文字認識が正確に行われるように撮像画像の補整を行って撮像データを生成する（ステップＳ５７０）。その後、撮像データが撮像装置１０から自動検針装置２０に送信される。自動検針装置２０は受信した撮像データをデータ記憶部２２に記憶する（ステップＳ５８０）。このようにして撮像処理が終了する。
【００３９】
撮像処理が終了すると、自動検針装置２０は、文字認識処理を行う（ステップＳ６０）。図１５は、文字認識処理の処理手順図である。
自動検針装置２０の文字認識部２３は、データ記憶部２２に記憶された撮像データを読み込む（ステップＳ６１０）。文字認識部２３では、読み込んだ撮像データによる撮像画像に対して、上記のスムージング処理、２値化処理、及び縮小・膨張処理を行うことで、撮像画像の表示枠２０１内のノイズ画像を除去する。また文字認識部２３は、上記の認識枠２０２の最適化を行い、認識枠２０２内で数字が変化する途中にあるか否かを判断することで、正確な数字認識が可能かどうかを判断する（ステップＳ６２０）。文字認識部２３は、数字が変化する途中にあって正確な数字認識ができないようであれば文字認識処理を終了する（ステップＳ６２０：N）。
【００４０】
数字が認識可能にあれば、文字認識部２３は、特徴抽出部２３１、ゾンデ法認識部２３２、及びスキャン法認識部２３３による認識処理を行う（ステップＳ６３０）。認識処理において文字認識部２３は、汎用数字として撮像画像の数字を認識できない場合に、計量器２初期情報のフォント選択情報を元に、図示しないデータベーステーブルを参照して、最適な数字を判定する。データベーステーブルには、予め複数のフォントが格納されており、必要によりパタンマッチング法による数字認識を許容する。これらによる認識処理の結果、数字が認識できれば、認識した数字をデータ記憶部２２に記憶する（ステップＳ６４０：Y、Ｓ６５０）。数字が認識できなければ、そのまま文字認識処理を終了する（ステップＳ６４０：Y）。
【００４１】
文字認識処理が終了すると、自動検針装置２０の比較部２４が、今回の文字認識処理で認識した数字と、前回の文字認識処理で認識した数字とを比較する。比較の結果、同じ数字或いは前回の数字よりも小さくなっていれば、比較結果を自動検針の履歴としてデータ記憶部２２に保存する（ステップＳ７０：N、ステップＳ９０）。前回の数字よりも大きくなっていれば、その差分と同数のパルス信号を無線パルスカウント計３０に送信する（ステップＳ７０:Y、ステップＳ８０）。パルス信号の送信後に、比較結果を自動検針の履歴としてデータ記憶部２２に保存する（ステップＳ９０）。なお、ステップＳ６０で数字の認識ができない場合には、その旨を履歴として保存する。履歴の保存が終了すると、次の測定時間まで待機する。
【００４２】
データ記憶部２２に保存される自動検針の履歴は、ステップＳ３０のシステム障害の有無の確認に用いられる。例えば、所定の回数、前回の数字よりも小さかったり、或いは数字認識ができない場合にはシステム障害有りの判断を行う。
以上のようにして計測器２の検針窓２００の数字が読み取られ、読み取った数字に応じてパルス信号が自動検針装置２０から無線パルスカウント計３０に送信される。
【００４３】
このような自動検針システム１により、周期的に自動で計測器２の検針が検針員を介さずに行えるようになる。そのために、従来のように検針のために検針員が需要家を回る必要がなくなる。また、自動検針システム１に障害が発生した場合には自動的に電力会社等に障害が通知されるために、障害への迅速な対応が可能である。
【符号の説明】
【００４４】
１…自動検針システム、１０…撮像装置、１１…ディジタルカメラ、１２…ＬＥＤ、１３…フード部、２０…自動検針装置、２１…カメラ制御部、２２…データ記憶部、２３…文字認識部、２３１…特徴抽出部、２３２…ゾンデ法認識部、２３３…スキャン法認識部、２３４…認証用データ記憶部、２４…比較部、２５…制御部、２６…パルス送信部、２７…メール送信部、３０…無線パルスカウント計、４０…計量値通知装置、２…計測器、２００…検針窓、２０１…表示枠、２０２…認識枠
【図１】
0005475373.tif 000002
【図２】
0005475373.tif 000003
【図３Ａ】
0005475373.tif 000004
【図３Ｂ】
0005475373.tif 000005
【図４】
0005475373.tif 000006
【図５】
0005475373.tif 000007
【図６】
0005475373.tif 000008
【図７】
0005475373.tif 000009
【図８】
0005475373.tif 000010
【図９】
0005475373.tif 000011
【図１０】
0005475373.tif 000012
【図１１】
0005475373.tif 000013
【図１２】
0005475373.tif 000014
【図１３】
0005475373.tif 000015
【図１４】
0005475373.tif 000016
【図１５】
0005475373.tif 000017